(57)【要約】【課題】温泡入浴効果を更に高め、温泡入浴の満足感を得るのに有利な温泡入浴装置を提供する。【解決手段】温泡入浴装置は、使用者が入る基体１と、基体１に設けられ基体１内に温泡を吐出する温泡吐出部３とを備える。可動体１５０は、退避位置Ｗ１と使用位置Ｗ２とに位置変更可能に設けられている。使用位置Ｗ２の可動体１５０は、温泡を収容する温泡収容空間１５９の蓋を形成する。【選択図】図１
2006081705.tif 000002
【特許請求の範囲】
【請求項１】
使用者が入る基体と、前記基体に設けられ前記基体内に温泡を吐出する温泡吐出部とを具備する温泡入浴装置において、
退避位置と使用位置とに位置変更可能に設けられ、前記温泡吐出部から吐出される温泡を収容する温泡収容空間の蓋を形成する可動体を有することを特徴とする温泡入浴装置。
【請求項２】
使用者が入る基体と、前記基体に設けられ前記基体内に温泡を吐出する温泡吐出部とを具備する温泡入浴装置において、
退避位置と使用位置とに位置変更可能に設けられ、前記温泡吐出部から吐出される温泡を収容する温泡収容空間の蓋を形成する可動体を有しており、
前記温泡吐出部は、使用者の肩部または肩部付近に向けて温泡を吐出することを特徴とする温泡入浴装置。
【請求項３】
請求項１または請求項２において、前記可動体は前記退避位置と前記使用位置とに位置変更できるように前記基体に揺動可能に設けられていることを特徴とする温泡入浴装置。
【請求項４】
使用者が入る基体と、前記基体に設けられ前記基体内に温泡を吐出する温泡吐出部とを具備する温泡入浴装置において、
退避位置と使用位置とに位置変更できるように前記基体に揺動可能に設けられ、前記温泡吐出部から吐出される温泡を収容する温泡収容空間の蓋を形成する可動体を有しており、
前記可動体は、温泡吐出部に繋がる配管に揺動可能に枢支されていることを特徴とする温泡入浴装置。
【請求項５】
使用者が入る基体と、前記基体に設けられ前記基体内に温泡を吐出する温泡吐出部とを具備する温泡入浴装置において、
退避位置と使用位置とに位置変更できるように前記基体に揺動可能に設けられ、前記温泡吐出部から吐出される温泡を収容する前記温泡収容空間の蓋を形成する可動体を有しており、
前記基体は、使用者が出入りする出入口を開閉する開閉ドアを有しており、前記開閉ドアは、前記温泡収容空間を小さくさせる膨出部を有していることを特徴とする温泡入浴装置。
【請求項６】
使用者が入る基体と、前記基体に設けられ前記基体内に温泡を吐出する温泡吐出部とを具備する温泡入浴装置において、
退避位置と使用位置とに位置変更できるように前記基体に揺動可能に設けられ、前記温泡吐出部から吐出される温泡を収容する温泡収容空間の蓋を形成する可動体を具備しており、
前記基体は、使用者を載せる可動式の車椅子を収容すると共に前記温泡収容空間が形成される車椅子収容室を有することを特徴とする温泡入浴装置。
【請求項７】
請求項６において、前記基体の前記椅子収容室の出入口を開閉する開閉ドアを有しており、前記開閉ドアは前記可動体に対向する位置に設けられていることを特徴とする温泡入浴装置。
【請求項８】
請求項１〜請求項７のうちのいずれか一項において、前記可動体及び前記基体のうちの少なくとも一方は前記温泡吐出部を有することを特徴とする温泡入浴装置。
【請求項９】
請求項１〜請求項８のうちのいずれか一項において、前記可動体及び前記基体のうちの少なくとも一方はシャワーを噴出するシャワー噴出部を有することを特徴とする温泡入浴装置。
【請求項１０】
請求項１〜請求項９のうちのいずれか一項において、前記可動体は、前記使用位置にされたとき、使用者の頭部の上部を露出させる開口と、使用者の肩部の上側に位置する肩覆い部とを有することを特徴とする温泡入浴装置。
【請求項１１】
請求項１〜請求項１０のうちのいずれか一項において、前記可動体は断熱構造とされていることを特徴とする温泡入浴装置。
【請求項１２】
請求項１〜請求項１１のうちのいずれか一項において、前記可動体または前記基体は、前記温泡収容空間を暖めるヒータを有することを特徴とする温泡入浴装置。
【請求項１３】
請求項１〜請求項１２のうちのいずれか一項において、前記可動体または前記基体は前記温泡収容空間の容積を小さくさせる膨出部を有することを特徴とする温泡入浴装置。
【請求項１４】
請求項１〜請求項１３のうちのいずれか一項において、前記温泡吐出部は前記可動体の本体部に対して位置調整可能とされていることを特徴とする温泡入浴装置。
【請求項１５】
請求項１〜請求項１３のうちのいずれか一項において、前記基体には、前記温泡吐出部に供給する温泡を生成する温泡供給装置が設けられていることを特徴とする温泡入浴装置。
【発明の詳細な説明】
【技術分野】
【０００１】
本発明は温泡で入浴を行う温泡入浴装置に関する。
【背景技術】
【０００２】
近年、温泡入浴装置が開発されている。泡式入浴装置は、浴槽内に温泡を充満させて行う入浴であり、従来から行われている液状の温水を用いる一般的な温水入浴に比べ、心臓等への負担が軽減される等という利点に加え、暖かい多量の温泡を使用することにより温水入浴と略同等の温浴効果を得られるという利点を有する。また、何よりも、日本人が好む「つかる」入浴が達成でき、リラクゼーションの効果が大きいという利点を有する。このような利点から、特許文献１に示されるように、身体障害者や寝たきり老人等に対する移動介護において、好適であるとして特に期待されている。特許文献１には、空気で膨らむバスタブに使用者が入り、そのバスタブ内に温泡発生装置から温泡を供給し、泡式入浴を行うことが示されている。また特許文献２は、暖かい湯を収容して通常の入浴を行う第１の浴槽と、車椅子が導入可能な第２の浴槽とを有する欲室を開示している。
【特許文献１】特開２０００−８３８５１号公報
【特許文献２】特開平１１−２７０１６４号公報
【発明の開示】
【発明が解決しようとする課題】
【０００３】
上記した特許文献１に記載の泡式入浴装置によれば、前述したように、温泡を利用するため、心臓等への負担が軽減されるという利点を有する。特許文献２に係る技術は、温泡入浴に関するものではなく、心臓等への負担が大きい。
【０００４】
本発明は上記した実情に鑑みてなされたものであり、温泡入浴効果を更に高め、温泡入浴の満足感を得るのに有利な温泡温泡入浴装置を提供することを共通の課題とする。
【課題を解決するための手段】
【０００５】
（１）様相１の本発明に係る温泡入浴装置は、使用者が入る基体と、基体に設けられ基体内に温泡を吐出する温泡吐出部とを具備する温泡入浴装置において、退避位置と使用位置とに位置変更可能に設けられ、温泡吐出部から吐出される温泡を収容する温泡収容空間の蓋を形成する可動体を有することを特徴とするものである。
【０００６】
可動体を退避位置から使用位置に位置変更させる。この場合、使用者に対面する温泡収容空間の蓋が可動体により形成されるため、温泡吐出部から吐出された温泡を使用者付近に集めることができ、更に温泡の保温性が高まり、温泡入浴効果を高めることができる。
【０００７】
（２）様相２の本発明に係る温泡入浴装置は、使用者が入る基体と、基体に設けられ基体内に温泡を吐出する温泡吐出部とを具備する温泡入浴装置において、退避位置と使用位置とに位置変更可能に設けられ、温泡吐出部から吐出される温泡を収容する温泡収容空間の蓋を形成する可動体を有しており、温泡吐出部は、使用者の肩部または肩部付近に向けて温泡を吐出することを特徴とするものである。
【０００８】
可動体を退避位置から使用位置に位置変更させる。この場合、使用者に対面する温泡収容空間の蓋が可動体により形成されるため、温泡吐出部から吐出される温泡を使用者付近に集めることができ、更に温泡の保温性が高まり、温泡入浴効果を高めることができる。また、温泡吐出部は使用者の肩部付近に向けて暖かい温泡を吐出するため、使用者は加温性を効果的に感じることができる。更に、使用者の肩部付近に吐出された暖かい温泡は、使用者の肩部付近から身体の表面に沿って流下するため、使用者の身体は効果的に暖められる。これにより使用者のリラックス効果、温泡入浴効果を高めることができる。
【０００９】
（３）様相３の本発明に係る温泡入浴装置は、使用者が入る基体と、基体に設けられ基体内に温泡を吐出する温泡吐出部とを具備する温泡入浴装置において、退避位置と使用位置とに位置変更できるように基体に揺動可能に設けられ、温泡吐出部から吐出される温泡を収容する温泡収容空間の蓋を形成する可動体を有しており、可動体は、温泡吐出部に繋がる配管に揺動可能に枢支されていることを特徴とするものである。
【００１０】
可動体を退避位置から使用位置に位置変更させる。この場合、使用者に対面する温泡収容空間の蓋が可動体により形成されるため、温泡を使用者付近に集めることができ、更に温泡の保温性が高まり、温泡入浴効果を高めることができる。更に、可動体は、温泡吐出部に繋がる配管に揺動可能に枢支されている。このように温泡吐出部に繋がる配管を有効利用して可動体を揺動可能にできる。
【００１１】
（４）様相４の本発明に係る温泡入浴装置は、使用者が入る基体と、基体に設けられ基体内に温泡を吐出する温泡吐出部とを具備する温泡入浴装置において、退避位置と使用位置とに位置変更できるように基体に揺動可能に設けられ、温泡を収容する温泡収容空間の蓋を形成する可動体を有しており、基体は、使用者が出入りする出入口を開閉する開閉ドアを有しており、開閉ドア及び可動体のうちの少なくとも一方は、温泡収容空間を小さくさせる膨出部を有していることを特徴とするものである。
【００１２】
可動体を退避位置から使用位置に位置変更させる。この場合、使用者に対面する温泡収容空間の蓋が可動体により形成されるため、温泡を使用者に集めることができ、更に温泡の保温性が確保され、温泡入浴効果を高めることができる。また、使用者が出入りする出入口を開閉する開閉ドアは、温泡収容空間を小さくさせる膨出部を有するため、温泡入浴時における温泡の使用量を低減させることができる。
【００１３】
（５）様相５の本発明に係る温泡入浴装置は、使用者が入る基体と、基体に設けられ基体内に温泡を吐出する温泡吐出部とを具備する温泡入浴装置において、退避位置と使用位置とに位置変更できるように基体に揺動可能に設けられ、温泡吐出部から吐出される温泡を収容する温泡収容空間の蓋を形成する可動体を具備しており、基体は、使用者を載せる可動式の車椅子を収容すると共に温泡収容空間が形成される車椅子収容室を有することを特徴とするものである。
【００１４】
可動体を退避位置から使用位置に位置変更させる。これにより使用者に対面すると共に温泡を収容する温泡収容空間の蓋が形成される。この場合、温泡収容空間の蓋が可動体により形成されるため、温泡を使用者に集めることができ、更に温泡の保温性が確保され、温泡入浴効果を高めることができる。更に、高齢者、障害者、負傷者等は基体に自力で入ることができないことが多く、更に入浴姿勢も安定しない。ここで本様相にかかる基体は、使用者を載せる可動式の車椅子を収容する車椅子収容室を有する。このため高齢者、障害者、負傷者等の使用者を車椅子に載せたまま、温泡入浴させることができる。温泡入浴は前述したように心臓等への負担が軽減されるため、高齢者、障害者、負傷者等に有効である。
【発明の効果】
【００１５】
本発明に係る温泡温泡入浴装置によれば、可動体を退避位置から使用位置に位置変更させる。この結果、使用者に対面する温泡収容空間の蓋が可動体により形成されるため、温泡吐出部から吐出された温泡の保温性が高まり、温泡入浴効果を高めることができる。更に温泡入浴時における温泡の使用量を低減させることができる利点が得られる。
【発明を実施するための最良の形態】
【００１６】
温泡入浴装置は、使用者が入る基体と、基体に設けられ基体内に温泡を吐出する温泡吐出部とを備える。基体は、使用者が入る入浴室を有するものであればよい。基体は、使用者の胴体の他に頭部まで覆う構造でもよいし、頭部を覆わない構造でも良い。基体は、入浴室をもつブース本体と、ブース本体の入浴室を開閉する開閉ドアとを有する形態を採用できる。好ましくは、基体は、使用者の腰部を着座させる着座部を有しており、温泡吐出部は、着座部に着座している使用者の肩部付近に温泡を供給する形態を採用することができる。温泡吐出部は、温泡収容空間に対面するように可動体に設けられていても良いし、あるいは、温泡収容空間に対面するように基体に固定的に設けられていてもよいし、あるいは、曲成可能なフレキシブル構造とされて基体に設けられていても良い。好ましくは、温泡吐出部は、ブースのうち使用者に対面する壁面に沿って温泡が流下するように、暖かい温泡を吐出する形態を採用することができる。この場合、ブースのうち使用者に対面する壁面を温泡の流下で暖めることができるため、温泡入浴の開始時に、使用者の背中がブースに触れたとしても、使用者が冷たさを感じることを抑えることができ、入浴効果を高めるのに有利となる。着座部に着座している使用者の肩部付近に向けて、温泡吐出部は暖かい温泡を吐出するため、使用者のリラックス効果、入浴効果を一層高めることができる。
【００１７】
可動体は、退避位置と使用位置とに位置変更可能に設けられており、使用者に対面する温泡収容空間の蓋を形成する。好ましくは、可動体は退避位置と使用位置とに位置変更できるように基体に揺動可能に設けられている。好ましく温泡吐出部は可動体に設けられていることが好ましいが、これに限らず、基体側に設けられていても良い。可動体は中空構造等の断熱構造とされていることが好ましい。この場合、温泡を長時間暖かい状態に保持するのに有利である。基体または可動体には、温泡収容空間を暖めるヒータが設けられている形態を例示できる。ヒータにより温泡を長時間暖かい状態に保持するのに有利である。
【００１８】
可動体または基体については、温泡収容空間の容積を小さくさせる膨出部を有する形態を例示できる。膨出部は温泡収容空間の容積を小さくできるため、温泡収容空間に供給される温泡の放熱を少なくでき、入浴効果を更に高めるのに有利となる。更に使用する温泡の量も少なくするのに有利となる。
【００１９】
温泡吐出部は、使用者の肩部または肩部付近に向けて温泡を吐出することが好ましい。肩部付近に温泡を供給するとは、例えば、使用者の身体のサイズによっても相違するため、肩部を目標として肩部自体に温泡を供給する形態、使用者の身体のサイズによっては肩部の輪郭から２０ｃｍ以内、１５ｃｍ以内または１０ｃｍ以内に温泡を供給する形態を含む。肩部付近に温泡を供給するにあたり、肩部の上方から供給しても良いし、肩部の側方から供給しても良い。
【００２０】
好ましくは、基体は、使用者が出入りする出入口を開閉する開閉ドアを有している。好ましくは、ドアは、温泡収容空間を小さくさせる膨出部を有する。膨出部は温泡収容空間の容積を小さくできるため、温泡収容空間に供給される温泡の放熱を少なくでき、入浴効果を更に高めるのに有利となる。更に使用する温泡の量も少なくするのに有利となる。好ましくは、基体は、使用者を載せる可動式の車椅子を収容する椅子収容室を有する。車椅子は、使用者を着座させて搬送するタイプ、使用者を吊持して搬送するタイプを含む。
【００２１】
シャワー噴出部が基体または可動体に設けられていることが好ましい。シャワー噴出部が基体に設けられている場合には、基体に残留している泡を消失させるのに有利である。シャワー噴出部が可動体に設けられている場合には、可動体は温泡収容空間を形成するため、使用者の身体に付着した泡、温泡収容空間に残留している泡を消失させるのに有利である。
【００２２】
シャワー噴出部としては、水または湯を放射状に噴出させる放射状噴出シャワー部、あるいは、水と空気とが霧状に混合したミストシャワーを噴出させるミストシャワー噴出部を例示できる。ミストシャワー噴出部は霧状のミストシャワーを噴出させるため、使用者の身体に付着した泡、ブースの入浴室内に残留している泡を短時間に除去するのに有利となる。霧状のミストシャワーは微小粒状の液相と気相とが高頻度で混在しており、泡への微小状の液相の衝突が消泡に効果的であり、更に、霧状のミストシャワーは広面積に飛散しやすいため、多量の泡を除去させやすいためと推察される。また放射状噴出シャワー部は、放射状噴出シャワーを生成するため、多数の細いシャワー水流の衝突が消泡に効果的であり、更に、放射状噴出シャワーは広面積に飛散しやすいため、多量の泡を除去させやすい。このように使用者の身体に付着した泡、ブースの入浴室内に残留している泡を短時間に除去できれば、消泡操作中における身体の冷えを抑えることができ、温泡入浴効果を更に高め、温泡入浴の満足感を得るのに有利となる。
【００２３】
好ましくは、可動体は使用位置にされたとき、使用者の頭部の上部を露出させる開口と、使用者の肩部の上側に位置する肩覆い部とを有する。この場合、使用者の頭部の上部を可動体から露出させつつ、首部から下方の身体を温泡収容空間内に配置させることができる。従って頭部の過熱を抑制しつつ、首部より下方の身体を温泡で効果的に暖めることができる。
【００２４】
好ましくは、基体には、温泡を生成する温泡供給装置が設けられている。温泡供給装置は温泡を生成するものである。従って、温泡供給装置は、泡剤が収容される容器と、容器内に圧縮空気等の気体を供給する気体供給源とを有することが好ましい。温泡供給装置は、温泡を生成する温水を生成する給湯器を有しているか、給湯器に接続されていても良い。気体供給源としてはコンプレッサ、ファン等を例示できる。場合によっては、温泡を生成する温泡供給装置は基体に設けられている形態の他に、基体から離間して設けられている形態でも良い。
【実施例１】
【００２５】
以下、本発明の実施例１を図１〜図７を参照して具体的に説明する。図面はあくまでも概念図であり、細部まで規定するものではない。本実施例に係る温泡温泡入浴装置は業務用または家庭用であり、図１に示すように、使用者Ｍが入る入浴室１０を有する保温性を有する基体として機能するブース１と、ブース１に設けられ入浴室１０に入った使用者Ｍの肩部Ｍ１付近に向けて暖かい温泡を吐出する温泡吐出部３と、ブース１に設けられ暖かい温泡を温泡吐出部３に供給する温泡供給装置７とを備える。
【００２６】
図１に示すように、ブース１は、使用者Ｍが入る入浴室１０をもつ保温性を有するブース本体１１と、ブース本体１１の入浴室１０を開閉する保温性を有する回動式の開閉ドア１２（図６参照）とを有する。ブース本体１１は、使用者Ｍの腰部を入浴室１０内で着座させる着座部１３および脚載せ部１４をもつ設置部１５とをもつ。着座部１３は、使用者Ｍの腰部が載せられる着座面１７と、使用者Ｍの脚の下腿が対面する立面１８とを有する。着座面１７は後方（矢印Ｒ方向）に向かうにつれてやや下降するように傾斜しており、使用者Ｍの腰部の着座を安定させている。このように着座面１７が傾斜していると、使用者Ｍの着座性を高め得るものの、水や泡が着座面１７に溜まりやすくなるため、着座面１７の中央域には、流水用の流下通路１９が形成されている。脚載せ部１４は、排水部９０に向けて流下させ得るようにされており、使用者Ｍの脚で踏まれる滑り止め処理された脚踏み面２１とを有する。
【００２７】
ブース本体１１の入浴室１０は、着座部１３に着座した使用者Ｍの背中に対面する背中対面部２４と、着座部１３に着座している使用者Ｍの側面に対面する側面対面部２６と、アームレスト部２７とで区画されている。背中対面部２４は使用者Ｍの背中の後方で背中の全域を覆っている。アームレスト部２７は入浴室１０に膨出しているので、温泡の使用量を低減させるのに有利である。なお、ブース１の材料は断熱性が高い材料（たとえば樹脂、繊維強化樹脂等）とされており、温泡の放熱が抑えられ、温泡の温度を維持するようにされている。ブース１には手で掴む取っ手１００が設けられている。またブース１の前部には、凹み状をなす可動体退避空間１０１が着座部１３に対面するように設けられている。
【００２８】
可動体１５０は断熱性を有する樹脂材料を基材として形成されたパネル盤状をなしており、温泡の集合体に対する蓋として機能できるものである。図５に示すように、可動体１５０は、これの基端部１５１に互いに対向する端面１５２をもつ切欠１５３を有する本体部１５４と、本体部１５４から二股状に延設された延設部１５５と、延設部１５５の先端部に設けられた肩覆い部１５７とを有する。肩覆い部１５７は、使用者Ｍの肩部Ｍ１の上側に対面可能とされている。延設部１５５は、使用者Ｍの右肩に対面可能な第１延設部１５５ｆと、使用者Ｍの左肩に対面可能な第２延設部１５５ｓとをもつ。従って、延設部１５５は２個１組とされている。肩覆い部１５７は、使用者Ｍの右肩に対面可能となるように第１延設部１５５ｆに設けられた第１肩覆い部１５７ｆと、使用者Ｍの左肩に対面可能となるように第２延設部１５５ｓに設けられた第２肩覆い部１５７ｓとをもつ。従って肩覆い部１５７は２個１組とされている。図５に示すように、開口１５８を形成する肩覆い部１５７は、Ｕの字形状をなす。開口１５８は、使用者Ｍの頭部Ｍ２の上部を露出させる。
【００２９】
図１に示すように、肩覆い部１５７は延設部１５５よりも使用者Ｍの肩部Ｍ１に近づくように、延設部１５５に対して角度θ１傾いている。これにより肩覆い部１５７を使用者Ｍの肩部Ｍ１に上方から対面させることができる。肩覆い部１５７の先端部には、温泡を吐出させる温泡吐出部３が形成されている。図５に示すように、温泡吐出部３は、使用者Ｍの右肩付近に対面するように第１肩覆い部１５７ｆに形成された第１温泡吐出部３ｆと、使用者Ｍの左肩付近に対面するように第２肩覆い部１５７ｓに形成された第２温泡吐出部３ｓとを有する。
【００３０】
図２に示すように、前記した可動体退避空間１０１は、可動体１５０の本体部１５４を収容して退避させ得る空間１０１ａと、可動体１５０の２個１組の延設部１５５を収容して退避させ得る２又状の空間１０１ｃとを有する。可動体１５０の内部には、温泡吐出部３に温泡を供給するための配管２００が内蔵されている。図２では配管２００が記載されているが、図２は概念図であり、実際的には配管２００は可動体１５０に隠蔽状態に内蔵されている。図２に示すように、配管２００は、第１温泡吐出部３ｆから可動体１５０の基端部１５１の端面１５２にかけて延設された第１配管２０１と、第１配管２０１と温泡生成器７０に接続されるようにブース１側に固定された第１接続管２０２と、可動側の第１配管２０１と固定側の第１接続管２０２との間に設けられた第１ジョイント枢支部２０３とを有する。更に、配管２００は、第２温泡吐出部３ｓから可動体１５０の基端部１５１の端面１５２にかけて延設された第２配管２０５と、第２配管２０５と温泡生成器７０とに接続されるようにブース１側に固定された第２接続管２０６と、可動側の第２配管２０５と固定側の第２接続管２０６との間に設けられた第２ジョイント枢支部２０７とを有する。
【００３１】
第１配管２０１及び第２配管２０５は金属や樹脂等の硬質材料で形成されているため、可動体１５０の補強も兼ねることができるが、これに限定されるものではなく、可撓管で形成しても良い。第１ジョイント部２０３は、第１配管２０１と第１接続管２０２とを周方向に相対回動させる。第２ジョイント部２０７は、第２配管２０５と第２接続管２０６とを周方向に相対回動させる。可動体１５０の回動枢支構造をＰＡとして示す。
【００３２】
可動体１５０の回動枢支構造ＰＡについて、図３を参照して更に説明を加える。可動体１５０の基端部１５１にはブラケット５００が取り付けられている。ブラケット５００は、筒形状をなす第１ジョイント部２０３、筒形状をなす第２ジョイント部２０７とを有する。従って、第１ジョイント部２０３、第２ジョイント部２０７、ブラケット５００は可動側となる。また、第１温泡吐出部３ｆに繋がる第１配管２０１の端部２０１ｃは、連結管２０１ｘを介して第１ジョイント部２０３に接続されている。第２温泡吐出部３ｓに繋がる第２配管２０５の端部２０５ｃは、連結管２０５ｘを介して第２ジョイント部２０７に接続されている。従って、第１配管２０１及び第２配管２０５は可動側となる。更に、第１固体リング具５１０が第２固定リング具５２０を介して第１ジョイント部２０３及び第２ジョイント部２０７内に同軸的に差し込まれている。第１固体リング具５１０は、筒部５１１とフランジ部５１２とを同軸的に有する。図３に示すように、一方の第１固定リング具５１０には第１接続管２０２の端部２０２ｃが接続されている。他方の第１固定リング具５１０には第２接続管２０６の端部２０６ｃが接続されている。第１固定リング具５１０の筒部５１１と第１ジョイント部２０３,第２ジョイント部２０７との間には、ベアリング球等の転動体５３０が介在している。これにより第１ジョイント部２０３,第２ジョイント部２０７の中心線ＰＣの回りで、可動体１５０は回動することができる。
【００３３】
上記のように本実施例によれば、温泡を移送する配管２００を有効利用して可動体１５０が縦方向に沿って揺動可能に配設されている。図１に示すように、可動体１５０が上方（矢印Ｙ１方向）に揺動するときには、可動体１５０はブース１の可動体退避空間１０１に収容されて退避位置Ｗ１となる。このように可動体１５０が退避位置Ｗ１に退避していれば、ブース１の入浴室１０の容積か制限されているときであっても、使用者Ｍの出入りの邪魔になることが抑えられている。これに対して、図１の鎖線に示すように、可動体１５０が下方（矢印Ｙ２方向）に揺動するときには、可動体１５０はアームレスト部２７のストッパ面２７ｃに当たり、それ以上の下降回動は防止される。このとき可動体１５０の肩覆い部１５７は使用者Ｍの肩部Ｍ１または肩部Ｍ１付近の上方に位置する。可動体１５０が使用位置Ｗ２に設定されているときには、図１に示すように、可動体１５０は、使用者Ｍに近づくにつれて、基端部１５１から肩覆い部１５７に向けて下から上に向かうように傾斜している。このとき、肩覆い部１５７は、延設部１５５よりも使用者Ｍに近づくように、延設部１５５に対して角度θ１傾いているため、肩覆い部１５７はほぼ水平方向に沿っており、肩部Ｍ１または肩部Ｍ１付近の上側に位置している。このため温泡吐出部３から温泡を使用者Ｍの肩部Ｍ１または肩部Ｍ１付近に向けて供給することができる。更に、図１に示すように、可動体１５０の開口１５８から使用者Ｍの頭部Ｍ２の上部が露出するため、温泡収容空間１５９に収容された温泡は、着座中の使用者Ｍの脚及び胴を包囲するものの、頭部Ｍ２の上部までは基本的には到達しない。このため使用者Ｍの身体を入浴させつつも、使用者Ｍの頭部Ｍ２の過熱は抑制されている。
【００３４】
また、使用者Ｍがブース１内に存在していないときには、温泡入浴の前に、可動体１５０を下方（矢印Ｙ２方向）に揺動させれば、可動体１５０の肩覆い部１５７の温泡吐出部３は、ブース１のうち着座部１３に対面するため、着座部１３を暖かい温泡で暖めることができる。このため温泡入浴の開始時に、使用者Ｍの背中が着座部１３に触れたとしても、使用者Ｍが冷たさを感じることを抑えることができ、入浴に適する。
【００３５】
図５に示すように、可動体１５０のうち使用者Ｍに対面する側には、霧状のミストシャワーを噴出する泡除去用のシャワー噴出部４が間隔を隔てて複数個分散させて設けられ、通路４ｋで繋がっている。通路４ｋには給水接続具４ｍが接続されている。給水接続具４ｍは、給水源に可撓管４ｐ（図１参照）を介して繋がる。霧状のミストシャワーは、泡を除去するのに有利である。このようにシャワー噴出部４が分散して複数個設けられているため、使用者Ｍに付着した泡、入浴室１０に残留した泡を除去するのに有利である。
【００３６】
図１に示すように、液状の温水シャワーまたは冷水シャワーを噴出させる水シャワー部として機能するハンドシャワー部５がブース本体１１に設けられている。ハンドシャワー部５は使用者Ｍの手で操作できるものであり、可撓性をもつフレキシブルホース５ａを有する
図１に示すように、シャワー噴出部４の温度を調整する第１温度調節部６１と、ハンドシャワー部５のシャワーの水温を調整する第２温度調節部６２とが、ブース本体１１において着座中の使用者Ｍの手が届く領域（例えば使用者Ｍの頭部Ｍ２の横方付近）に設けられている。第１温度調節部６１及び第２温度調節部６２は、温水と冷水との流量割合を変えることによりシャワーの温度を調整する。温泡の温度、泡サイズ等の温泡に関する条件を調整する操作盤２８がブース本体１１において使用者Ｍの頭部Ｍ２付近に装備されている。泡生成用の操作盤２８はリモコン式とされているが、これに限定されるものではない。
【００３７】
図６は、入浴室１０の出入口１０ｋを開閉する開閉ドア１２の付近の平面視を示す。図６に示すように、開閉ドア１２は、折り畳み可能な第１ドア１２ｆと第２ドア１２ｓとを備えている。第２ドア１２ｓには膨出部１２ｍが設けられている。膨出部１２ｍは、入浴室１０に対面する断熱性が高い材料で形成されており、使用者Ｍが入る入浴室１０に向けて膨出しており、入浴室１０の容積、ひいては温泡収容空間１５９の容積を小さくする容積狭小化構造を有する。この場合、温泡の使用量を抑制しつつも、入浴室１０に供給される温泡の放熱を少なくでき、入浴効果を高めるのに有利となる。図６に示すように、開閉ドア１２が閉鎖されているときには、第１ドア１２ｆ及び第２ドア１２ｓは平坦状とされ、膨出部１２ｍは位置ＫＢとなり入浴室１０に対面する。開閉ドア１２が開放されるときには、第１ドア１２ｆが矢印Ｋ方向に回動し、第１ドア１２ｆ及び第２ドア１２ｓが境界１２ｋで折り畳まれている。この場合、膨出部１２ｍは位置ＫＡとなり、入浴室１０内の着座部１３に対面しつつ、退避位置Ｗ１の可動体１５０に接近するため、使用者Ｍの出入りに支障がないようにされている。
【００３８】
温泡供給装置７はブース１内に隠蔽状態に設けられており、暖かい温泡を生成して温泡吐出部３に供給するものである。温泡供給装置７は、温泡生成機能を有する温泡生成器７０と、圧縮気体としての圧縮空気を温泡生成器７０に供給する気体供給源として機能するコンプレッサ７１とを有する。温泡生成器７０はブース１のうち可動体１５０の枢支構造ＰＡの下側に設けられている。コンプレッサ７１はブース１のうち、退避位置Ｗ１に退避した可動体１５０の上側に設けられている。温泡生成器７０には、第１温泡吐出部３ｆに繋がる第１配管２０１が接続されていると共に、第２温泡吐出部３ｓに繋がる第２配管２０５が接続されており、更に、芳香剤（アロマオイル等）に代表される添加剤を投入する添加剤投入口７０ｗが形成されている。温泡生成器７０がブース１のうち下部側に設けられているため、ブース１の姿勢の安定性を高めることができる。なお、ブース１には図略のメンテナンスドアが設けられている。メンテナンスドアを開放すれば、温泡生成器７０に泡剤を補給できる。
【００３９】
図７は温泡供給装置７の温泡生成器７０の概念を模式的に示す。図７に示すように、温泡生成器７０は、洗剤および温水を含む洗剤溶液７０ａを貯留すると共に仕切部材７０ｂで仕切られた複数の貯留室７０ｃをもつ容器７０ｄと、容器７０ｄの貯留室７０ｃの底部付近に配置された複数の噴出口７０ｆを有するノズル７０ｋをもつ気体供給管７０ｍとを備えている。気体供給管７０ｍはコンプレッサ７１につながる。コンプレッサ７１が駆動すると、圧縮気体としての圧縮空気が気体供給管７０ｍに供給され、ノズル７０ｋの噴出口７０ｆから噴出する（バブリング）。これにより温泡が容器７０ｄ内で生成される。複数の噴出口７０ｆの口径はそれぞれ同径とされているため、生成される泡のサイズを均一化させるのに有利である。また気体供給管７０ｍは水平方向に沿って配置されているため、パブリング時に洗剤溶液７０ａが乱流化することが抑制され、均一な温泡を生成させるのに有利となる。
【００４０】
次に、温泡入浴装置の使用について更に説明を加える。温泡入浴していないときには、可動体１５０は上方（矢印Ｙ１方向）に揺動されて退避位置Ｗ１とされている。開閉ドア１２を開放させて使用者Ｍがブース１の入浴室１０に入る。この場合、可動体１５０は退避位置Ｗ１とされているため、邪魔にならない。その後、開閉ドア１２を閉鎖させると共に、使用者Ｍはブース１の入浴室１０内で着座部１３に着座する。その後、使用者または介護者により、可動体１５０を下方（矢印Ｙ２方向）に向けて揺動させて使用位置Ｗ２とする。使用位置Ｗ２では、可動体１５０が温泡収容空間１５９の蓋として機能することができ、可動体１５０の下方が温泡収容空間１５９となる。
【００４１】
図１に示すように、使用位置Ｗ２では、可動体１５０は使用者Ｍから離間するにつれて下降傾斜しているため、温泡収容空間１５９の容積の過剰増大化が抑えられおり、温泡の使用量を抑えている。即ち、使用者Ｍ１に遠い側の温泡収容空間１５９の高さが低くなり、ひいては使用者Ｍ１に遠い側の温泡の量を減少させることができ、温泡の使用量が節約される。しかしながら図１に示すように可動体１５０は使用者Ｍに近づくにつれて上昇傾斜しているため、使用者Ｍ１に近い側の温泡収容空間１５９の高さが高くなり、ひいては使用者Ｍ１に近い側の温泡の量を増加させることができ、温泡入浴に適する。
【００４２】
使用位置Ｗ２では、可動体１５０の肩覆い部１５７は使用者Ｍの肩部Ｍ１の上側に位置する。そして、可動体１５０の肩覆い部１５７の温泡吐出部３から、暖かい温泡を使用者Ｍの肩部Ｍ１または肩部Ｍ１付近に向けて吐出させる。
【００４３】
入浴では、実験によれば、使用者Ｍの肩部Ｍ１付近を暖めることが加温効果、入浴効果を高めるのに、殊に有効である。この点本実施例によれば、ブース１の入浴室１０内で着座中の使用者Ｍの肩部Ｍ１付近に向けて、温泡吐出部３は暖かい温泡を使用者Ｍの肩部Ｍ１の上方から肩部Ｍ１付近に向けて吐出されるため、温泡入浴の際に、使用者Ｍの肩部Ｍ１付近を効果的に暖めることができ、使用者Ｍのリラックス効果、入浴効果を高めることができる。肩こり等の回復にも有利である。
【００４４】
更に、使用者Ｍの肩部Ｍ１付近に吐出された暖かい温泡は、使用者Ｍの肩部Ｍ１付近から身体の表面（背中、胸、腕、脚等の表面）に沿って流下するため、使用者Ｍの身体の全体を効果的に暖めることができる。これにより使用者Ｍのリラックス効果、温泡入浴効果を高めることができる。なお温泡入浴の際には、図１に示すように可動体１５０の開口１５８から使用者Ｍの頭部Ｍ２の上部は露出しているため、閉塞感もなく快適であり、頭部Ｍ２の過熱も抑制される。なおブース１にはテレビ１ｔが搭載されているため、使用者はテレビ１ｔを見ながら温泡入浴することができる。
【００４５】
上記したように暖かい温泡で温泡収容空間１５９を満たせば、使用者Ｍの頭部Ｍ２以外の身体は温泡で包囲される。温泡の温度は温泡入浴に適する温度にでき、泡質、使用者Ｍ、季節等によっても多少相違するものの、一般的には３５〜６０℃程度とすることができるが、これに限定されるものではない。なお、図１に示すように、温度調節部６１，６２、操作盤２８は、使用位置Ｗ２に設定された可動体１５０のよりも上方に位置しているため、温度調節部６１，６２、操作盤２８が温泡で埋まることは抑えられるため、温泡入浴時における操作性は確保される。
【００４６】
温泡入浴の前に、必要に応じて、制御装置がハンドシャワー部５およびシャワー噴出部４の一方または双方を作動させ、ハンドシャワー部５から噴出される暖かい温水シャワー、シャワー噴出部４から噴出される暖かいミストシャワーにより、ブース本体１１、殊に、ブース本体１１のうち使用者Ｍが触れやすい部位を予熱させることも好ましい。これにより快適に温泡入浴するのに一層有利となる。また温泡入浴の間に、必要に応じて、ハンドシャワー部５から噴出される暖かい温水シャワー、シャワー噴出部４から噴出される暖かいミストシャワーのうちの一方または双方を、使用者Ｍに吹き付けることも好ましい。これにより快適に温泡入浴するのに一層有利となる。
【００４７】
温泡入浴が終了すると、使用者Ｍが入浴室１０内で着座している状態で、使用位置Ｗ２の可動体１５０のシャワー噴出部４からミストシャワー等を噴出させれば、入浴室１０に残留する泡を効果的に除去することができ、使用者Ｍの身体に付着した泡も除去することができる。ここで、温水入浴後に、使用者Ｍの身体に付着した泡を除去する操作に長時間を要すると、その間に身体の冷えが進行し、冬季等では充分に満足できる温水入浴効果が得られなくなるおそれがある。この点本実施例によれば、シャワー噴出部４が霧状のミストシャワーを噴出させる場合には、使用者Ｍの身体に付着した泡、ブース１の入浴室１０内に残留している泡を短時間のうちに除去するのに有利となる。霧状のミストシャワーは微小粒状の液相と気相とが高頻度で混在しており、泡への微小状の液相の衝突が消泡に効果的であり、更に、霧状のミストシャワーは広面積に飛散しやすいため、多量の泡を除去させやすいためと推察される。なお、必要に応じてハンドシャワー部５を補助的に用い、ハンドシャワー部５から噴出するシャワー水により泡を除去することにしてもよい。また上記した泡の除去操作は、場合によっては、使用者Ｍが入浴室１０から退出した状態で行ってもよいものである。なお、温泡入浴が終了すれば、可動体１５０を上方（矢印Ｙ１方向）に揺動させて、開閉ドア１２を開放し、使用者Ｍはブース１の入浴室１０から退出する。なお、シャワー噴出部４及びハンドシャワー部５が設けられていない場合でも良い。
【実施例２】
【００４８】
図８は実施例２を示す。実施例２は基本的には前記した実施例１と同様の構成、同様の作用効果を有する。以下、相違する部分を中心として説明する。図８に示すように、可動体１５０にはヒータ１６０が装備されている。温泡収容空間１５９に収容されている温泡の保温性をヒータ１６０により高めることができ、温泡の冷えが抑制され、温泡による入浴効果を高めることができる。
【実施例３】
【００４９】
図９は実施例３を示す。実施例３は基本的には前記した実施例１と同様の構成、同様の作用効果を有する。以下、相違する部分を中心として説明する。可動体１５０は複数に分割されている。即ち、可動体１５０は、互いに独立して揺動できる第１可動体１５０Ｆ及び第２可動体１５０Ｓとに分割されている。第１可動体１５０Ｆは第１配管２０１により枢支されている。第２可動体１５０Ｓは第２配管２０５に枢支されている。第１可動体１５０Ｆと第２可動体１５０Ｓとの境界域にはシール性促進部材１６５が設けられている。シール性促進部材１６５は、当該境界域のシール性を高めるように弾性収縮容易なスポンジ材等の弾性材料で形成されている。なお、第１可動体１５０Ｆ及び第２可動体１５０Ｓとは互いに独立して揺動できるため、使用者Ｍが高齢者や障害者等であるとき、介護者が使用者Ｍの身体に触れて洗うのに有利である。更に、第１可動体１５０Ｆ及び第２可動体１５０Ｓは、これらが一体化されている形態に比較してサイズが抑えられるため、組付作業性も改善される。なお他の実施例についても、可動体を、互いに独立して揺動できる第１可動体及び第２可動体に分割しても良い。
【実施例４】
【００５０】
図１０は実施例４を示す。実施例４は基本的には前記した実施例１と同様の構成、同様の作用効果を有する。以下、相違する部分を中心として説明する。可動体１５０は、温泡収容空間１５９の容積を小さくする容積狭小化構造を有している。すなわち、図９に示すように、可動体１５０のうち使用者Ｍに対面する側に、温泡収容空間１５９に向けて可動体１５０の他の部分よりも膨出する膨出部１６７が形成されている。膨出部１６７は、温泡収容空間１５９の容積を小さくして温泡の使用量を抑えるものである。膨出部１６７は中空室１６８を有するため、高い断熱性をもち、温泡の放熱を少なくでき、入浴効果を高めるのに有利となる。なお他の実施例について可動体に膨出部を形成しても良い。
【実施例５】
【００５１】
図１１は実施例５を示す。実施例５は基本的には前記した実施例１と同様の構成、同様の作用効果を有する。以下、相違する部分を中心として説明する。可動体１５０は、本体部１５４と、本体部１５４から延設された２個１組の延設部１５５（１５５ｆ，１５５ｓ）と、延設部１５５（１５５ｆ，１５５ｓ）の先端部に設けられた肩覆い部１５７（１５７ｆ，１５７ｓ）とを有する。肩覆い部１５７（１５７ｆ，１５７ｓ）の先端部には、使用者Ｍの肩部Ｍ１に対面可能であり且つ温泡を吐出させる温泡吐出部３（３ｆ，３ｓ）が形成されている。肩覆い部１５７ｆはヒンジ部１５０ｒにより延設部１５５ｆに対して方向変換可能とされている。肩覆い部１５７ｓはヒンジ部１５０ｒにより延設部１５５ｓに対して方向変換可能とされている。使用者Ｍの好みや体格等に応じて、肩覆い部１５７ｆ，１５７ｓの向きを調整すれば、使用者Ｍの肩部Ｍ１を適切に暖めることができる。この場合、肩覆い部１５７ｆ，１５７ｓの向きが変更されるため、第１配管２０１,第２配管２０５の一部を可撓管とすることができる。他の実施例についても肩覆い部をヒンジ部により延設部に対して方向変換可能としても良い。
【実施例６】
【００５２】
図１２及び図１３は実施例６を示す。実施例６は基本的には前記した実施例１と同様の構成、同様の作用効果を有する。以下、相違する部分を中心として説明する。温泡入浴装置は、基体としてのブース１と、ブース１に揺動可能に枢支された可動体１５０と、可動体１５０に設けられブース１内に温泡を吐出する温泡吐出部３とを備えている。可動体１５０は、本体部１５４と、本体部１５４から延設された２個１組の延設部１５５（１５５ｆ，１５５ｓ）と、延設部１５５（１５５ｆ，１５５ｓ）の先端部に設けられた肩覆い部１５７（１５７ｆ，１５７ｓ）とを有する。
【００５３】
図１２に示すように、肩覆い部１５７（１５７ｆ，１５７ｓ）は、開口１５８をもつＵの字形状をなすように二股状とされている。２個１組の肩覆い部１５７は、使用者Ｍの頭部Ｍ２の上部を露出させる開口１５８を形成する。肩覆い部１５７は、使用者Ｍの肩部Ｍ１の上側に対面可能とされている。肩覆い部１５７の先端部には、使用者Ｍの肩部Ｍ１に対面可能であり且つ温泡を吐出させる温泡吐出部３（３ｆ，３ｓ）が形成されている。図１２に示すように、ブース１は、使用者Ｍを載せる可動式の車椅子４００を収容する車椅子収容室２０を有しており、車椅子収容室２０が入浴室とされている。車椅子４００は、椅子本体４０１と、使用者が着座する着座部４０２と、アームレスト４０３と、車輪４０４とを有する。車椅子４００が出入りする出入口２０ｋは、可動体１５０と対向する側に形成されている。出入口２０ｋは、横方に回動される回動式の開閉ドア１２で開閉される。開閉ドア１２は可動体１５０に対面可能である。このため使用者が載った車椅子４００が出入口２０ｋから車椅子収容室２０に進入すれば、図１３に示すように、車椅子４００上の使用者は可動体１５０に対面する。この状縦で、可動体１５０を下方（矢印Ｙ２方向）に回動させれば、温泡吐出部３（３ｆ，３ｓ）が使用者の肩部Ｍ１の上に配置される。
【００５４】
温泡入浴しないときには、可動体１５０を上方（矢印Ｙ１方向）に揺動させて退避位置Ｗ１に設定しておく。この状態で、使用者Ｍを載せた車椅子４００をブース１の車椅子収容室２０に収容する。その後、開閉ドア１２Ｃを閉鎖すると共に、可動体１５０を下方（矢印Ｙ２方向）に揺動させ、車椅子４００に載っている使用者Ｍの肩部Ｍ１または肩部Ｍ１付近に可動体１５０の肩覆い部１５７を上から対面させる。この状態で、暖かい温泡を可動体１５０の温泡吐出部３から使用者Ｍの肩部Ｍ１または肩部Ｍ１付近に向けて吐出させる。温泡は、可動体１５０の下方への揺動で形成された温泡収容空間１５９に収容される。
【００５５】
温泡終了後に、可動体１５０のシャワー噴出部４からミストシャワー等のシャワーを噴出させれば、使用者Ｍの身体に付着した泡、車椅子４００に付着した泡を効果的に除去することができる。必要に応じて、可動体１５０を上方（矢印Ｙ１方向）に揺動させて退避位置Ｗ１としても良い。ここで、温水入浴後に、使用者Ｍの身体に付着した泡を除去する操作に長時間を要すると、その間に身体の冷えが進行し、冬季等では充分に満足できる温水入浴効果が得られなくなるおそれがある。この点本実施例によれば、シャワー噴出部４が霧状のミストシャワーを噴出させる場合には、泡を短時間のうちに除去するのに有利となる。なお、必要に応じてハンドシャワー部５を補助的に用い、ハンドシャワー部５から噴出するシャワー水により泡を除去することにしてもよい。また上記した泡の除去操作は、場合によっては、使用者Ｍが車椅子収容室２０から退出した状態で介助者等が行ってもよいものである。なお、温泡入浴が終了すれば、開閉ドア１２Ｃを開放し、使用者Ｍを載せた車椅子４００を後退させることにより車椅子収容室２０から退出させる。上記したように本実施例によれば、高齢者、障害者、負傷者等の使用者Ｍを車椅子４００に載せたまま、温泡入浴させることができる。温泡入浴は前述したように心臓等への負担が軽減されるため、高齢者、障害者、負傷者等に有効である。なお他の実施例についても、ブースに車椅子収容室を形成しても良い。
【００５６】
（他の例）
上記した各実施例によれば、可動体１５０は、使用者Ｍの前面に対面する部位に配置されているが、これに限らず、可動体１５０は、使用者Ｍの側面に対面する側面対面部２６に配置されていても良い。可動体１５０は縦方向に沿って揺動可能である。芳香剤を用いているが、芳香剤を用いない形態でもよい。ハンドシャワー部５およびミストシャワー噴出部４の双方が用いられているが、いずれか一方としてもよい。使用者Ｍはブース１の着座部１３に着座するが、これに限らず、立ったまま温泡入浴することにしても良い。その他、本発明は上記し且つ図面に示した実施例のみに限定されるものではなく、要旨を逸脱しない範囲内で適宜変更して実施できるものである。上記した記載から次の技術的思想も把握できる。
【００５７】
（１）使用者が入る基体と、前記基体に設けられ前記基体内に温泡を吐出する温泡吐出部とを具備する温泡入浴装置において、前記基体は、使用者を載せる可動式の車椅子を収容すると共に温泡を収容する椅子収容室を有することを特徴とする温泡入浴装置。この場合には、可動体は必ずしも設けられていなくても良い。温泡吐出部はどこにあっても良い。
【産業上の利用可能性】
【００５８】
本発明者は健康者はもちろんのこと、高齢者、障害者、負傷者等が温泡入浴する際にも利用することができる。
【図面の簡単な説明】
【００５９】
【図１】実施例１に係り、温泡入浴装置の概念を示す側面図である。
【図２】実施例１に係り、温泡入浴装置の概念を示す正面図である。
【図３】実施例１に係り、可動体の枢支構造を示す断面図である。
【図４】実施例１に係り、着座部付近の構成図である。
【図５】実施例１に係り、可動体の構成図である。
【図６】実施例１に係り、温泡入浴装置の概念を示す平面図である。
【図７】実施例１に係り、温泡生成器の概念を示す構成図である。
【図８】実施例２に係り、可動体の構成図である。
【図９】実施例３に係り、可動体の構成図である。
【図１０】実施例４に係り、温泡入浴装置の概念を示す側面図である。
【図１１】実施例５に係り、可動体の構成図である。
【図１２】実施例６に係り、温泡入浴装置の概念を示す斜視図である。
【図１３】実施例６に係り、温泡入浴装置の使用形態の概念を示す側面図である。
【符号の説明】
【００６０】
図中、１はブース（基体）、１０は入浴室、１１はブース本体、１２は開閉ドア、１２ｍは膨出部、１３は着座部、３は温泡吐出部、４はシャワー噴出部、５はンドシャワー部、７は温泡供給装置、７０は温泡生成器、７１はコンプレッサ、１５０は可動体、１５４は本体部、１５５は延設部、１５７は肩覆い部、１５８は開口、１５９は温泡収容空間、２００は配管、Ｗ１は退避位置、Ｗ２は使用位置を示す。
【図１】
2006081705.tif 000003
【図２】
2006081705.tif 000004
【図３】
2006081705.tif 000005
【図４】
2006081705.tif 000006
【図５】
2006081705.tif 000007
【図６】
2006081705.tif 000008
【図７】
2006081705.tif 000009
【図８】
2006081705.tif 000010
【図９】
2006081705.tif 000011
【図１０】
2006081705.tif 000012
【図１１】
2006081705.tif 000013
【図１２】
2006081705.tif 000014
【図１３】
2006081705.tif 000015